【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
第１、第２の光電変換部と、
導通状態になることにより、第１、第２の光電変換部のそれぞれから電荷を転送する第１、第２の転送トランジスタと、
第１、第２の転送トランジスタから転送された電荷を蓄積するフローティングディフュージョン領域と、
前記第１、第２の転送トランジスタから転送された電荷に応じた信号を出力する増幅トランジスタと、
前記第１、第２の転送トランジスタのゲートに電気的に接続された第１、第２の駆動配線と、
前記第１の駆動配線に駆動パルスを供給することにより、第１の転送トランジスタを導通状態にする読み出しモード、および、前記第１、第２の駆動配線に並行して駆動パルスを供給することにより、第１、第２の転送トランジスタをともに導通状態にする読み出しモードを実行可能な駆動部と、
前記フローティングディフュージョン領域および前記増幅トランジスタのゲートを電気的に接続するとともに、平面視において前記フローティングディフュージョン領域の端部を超えて前記第１の駆動配線に対向しながら延在する導電部材と、
を有する撮像装置。
【請求項２】
前記導電部材は前記第２の駆動配線よりも前記第１の駆動配線に近い位置に形成された請求項１に記載の撮像装置。
【請求項３】
前記第１の駆動配線から前記フローティングディフュージョン領域の端部までの距離は、前記第２の駆動配線から前記フローティングディフュージョン領域の端部までの距離よりも短い請求項１または２に記載の撮像装置。
【請求項４】
前記フローティングディフュージョン領域は、前記第１、第２の光電変換部のそれぞれに対応して異なる領域に形成された第１、第２のフローティングディフュージョン領域を含み、
前記導電部材は前記第１、第２のフローティングディフュージョン領域を電気的に接続する請求項１〜３のいずれか１項に記載の撮像装置。
【請求項５】
前記増幅トランジスタのゲートは、前記第２の駆動配線よりも前記第１の駆動配線に近い位置に形成された請求項１〜４のいずれか１項に記載の撮像装置。
【請求項６】
第３のフローティングディフュージョン領域、および前記第３のフローティングディフュージョン領域の容量を制御する容量加算トランジスタをさらに備え、前記導電部材は前記第３のフローティングディフュージョン領域に電気的に接続され、平面視において前記導電部材は前記容量加算トランジスタまで延在している請求項４または５に記載の撮像装置。
【請求項７】
第３、第４の光電変換部と、
導通状態になることにより、第３、第４の光電変換部のそれぞれから電荷を前記フローティングディフュージョン領域に転送する第３、第４の転送トランジスタと、
前記第３、第４の転送トランジスタのゲートに電気的に接続された第３、第４の駆動配線とをさらに備え、
平面視において、前記第３、第４の光電変換部、前記第３、第４の転送トランジスタ、前記第３、第４の駆動配線は、前記フローティングディフュージョン領域を中心として、前記第１、第２の光電変換部、前記第１、第２の転送トランジスタ、前記第１、第２の駆動配線と対称に形成され、
前記導電部材は前記第１の駆動配線と前記第３の駆動配線との中間に形成された請求項１〜６のいずれか１項に記載の撮像装置。
【請求項８】
平面視において、前記第１のフローティングディフュージョン領域、前記第１の転送トランジスタ、前記第１の光電変換部、前記第２の光電変換部、前記第２の転送トランジスタ、前記第２のフローティングディフュージョン領域が順に並んで形成された請求項４〜６のいずれか１項に記載の撮像装置。
【請求項９】
平面視において、前記第１の駆動配線に垂直に延在するとともに、前記第１の駆動配線と前記第１の転送トランジスタのゲートとを電気的に接続する接続配線をさらに備え、前記導電部材は前記接続配線に対向して形成されている請求項１〜６のいずれか１項に記載の撮像装置。
【請求項１０】
請求項１〜９のいずれか１項に記載の撮像装置と、
前記撮像装置から出力された信号を処理する信号処理部とを有する撮像システム。
【請求項１１】
第１の光電変換部と、
第１の方向において前記第１の光電変換部に隣接して設けられた第２の光電変換部と、
前記第１の方向に垂直な第２の方向において前記第１の光電変換部に隣接して設けられた第３の光電変換部と、
前記第１の方向において前記第３の光電変換部に隣接して設けられるとともに、前記第２の方向において前記第２の光電変換部に隣接して設けられた第４の光電変換部と、
導通状態になることにより、第１、第２、第３、第４の光電変換部のそれぞれから電荷をフローティングディフュージョン領域に転送する第１、第２、第３、第４の転送トランジスタと、
前記フローティングディフュージョン領域における電荷に応じた信号を出力する増幅トランジスタと、
前記第１、第２、第３、第４の転送トランジスタのゲートにそれぞれ電気的に接続されるとともに、前記第１の方向に延在した第１、第２、第３、第４の駆動配線と、
前記フローティングディフュージョン領域および前記増幅トランジスタのゲートを互いに電気的に接続するとともに、平面視において前記フローティングディフュージョン領域の端部を超えて前記第１の駆動配線に対向しながら延在する導電部材とを備え、
前記第１の光電変換部および前記第２の光電変換部の対と、前記第３の光電変換部および前記第４の光電変換部の対とが平面視において線対称に配置され、
前記第１の駆動配線および前記第２の駆動配線の対と、前記第３の駆動配線および前記第４の駆動配線の対とが平面視において線対称に配置された撮像装置。
【請求項１２】
第１、第２の光電変換部と、
導通状態になることにより、第１、第２の光電変換部のそれぞれから電荷を転送する第１、第２の転送トランジスタと、
第１、第２の転送トランジスタから転送された電荷を蓄積するフローティングディフュージョン領域と、
前記第１、第２の転送トランジスタから転送された電荷に応じた信号を出力する増幅トランジスタと、
前記第１、第２の転送トランジスタのゲートにそれぞれ電気的に接続された第１、第２の駆動配線と、
前記フローティングディフュージョン領域および前記増幅トランジスタのゲートを電気的に接続するとともに、平面視において前記フローティングディフュージョン領域の端部を超えて前記第１の駆動配線に対向しながら延在する導電部材と、
第３、第４の光電変換部と、
導通状態になることにより、第３、第４の光電変換部のそれぞれから電荷を前記フローティングディフュージョン領域に転送する第３、第４の転送トランジスタと、
前記第３、第４の転送トランジスタのゲートにそれぞれ電気的に接続された第３、第４の駆動配線とをさらに備え、
平面視において、前記第３、第４の光電変換部、前記第３、第４の転送トランジスタ、前記第３、第４の駆動配線は、前記フローティングディフュージョン領域を中心として、前記第１、第２の光電変換部、前記第１、第２の転送トランジスタ、前記第１、第２の駆動配線と対称に形成され、
前記導電部材は前記第１の駆動配線と前記第３の駆動配線との中間に形成された撮像装置。
【請求項１３】
前記導電部材は前記第２の駆動配線よりも前記第１の駆動配線に近い位置に形成された請求項１１または１２に記載の撮像装置。
【請求項１４】
前記第１の駆動配線から前記フローティングディフュージョン領域の端部までの距離は、前記第２の駆動配線から前記フローティングディフュージョン領域の端部までの距離よりも短い請求項１１または１２に記載の撮像装置。
【請求項１５】
前記増幅トランジスタのゲートは、前記第２の駆動配線よりも前記第１の駆動配線に近い位置に形成された請求項１１または１２に記載の撮像装置。
【請求項１６】
平面視において、前記第１の駆動配線に垂直に延在するとともに、前記第１の駆動配線と前記第１の転送トランジスタのゲートとを電気的に接続する接続配線をさらに備え、前記導電部材は前記接続配線に対向して形成されている請求項１１または１２に記載の撮像装置。
【請求項１７】
前記第１の駆動配線に駆動パルスを供給することにより、第１の転送トランジスタを導通状態にする読み出しモード、および、前記第１、第２の駆動配線に並行して駆動パルスを供給することにより、第１、第２の転送トランジスタをともに導通状態にする読み出しモードを実行可能な駆動部をさらに備えた請求項１１または１２に記載の撮像装置。
【請求項１８】
前記第１の光電変換部および前記第２の光電変換部の上方に第１のマイクロレンズが形成され、前記第３の光電変換部および前記第４の光電変換部の上方に第２のマイクロレンズが形成された請求項１１または１２に記載の撮像装置。
【請求項１９】
前記第１の光電変換部および前記第２の光電変換部の対と、前記第３の光電変換部および前記第４の光電変換部の対とが平面視において線対称に配置された請求項１２に記載の撮像装置。
【請求項２０】
前記第１の駆動配線および前記第２の駆動配線の対と、前記第３の駆動配線および前記第４の駆動配線の対とが平面視において線対称に配置された請求項１２に記載の撮像装置。
【手続補正２】
【補正対象書類名】明細書
【補正対象項目名】０００６
【補正方法】変更
【補正の内容】
【０００６】
本発明の他の実施形態における撮像装置は、第１の光電変換部と、第１の方向において前記第１の光電変換部に隣接して設けられた第２の光電変換部と、前記第１の方向に垂直な第２の方向において前記第１の光電変換部に隣接して設けられた第３の光電変換部と、前記第１の方向において前記第３の光電変換部に隣接して設けられるとともに、前記第２の方向において前記第２の光電変換部に隣接して設けられた第４の光電変換部と、導通状態になることにより、第１、第２、第３、第４の光電変換部のそれぞれから電荷をフローティングディフュージョン領域に転送する第１、第２、第３、第４の転送トランジスタと、前記フローティングディフュージョン領域における電荷に応じた信号を出力する増幅トランジスタと、前記第１、第２、第３、第４の転送トランジスタのゲートにそれぞれ電気的に接続されるとともに、前記第１の方向に延在した第１、第２、第３、第４の駆動配線と、前記フローティングディフュージョン領域および前記増幅トランジスタのゲートを互いに電気的に接続するとともに、平面視において前記フローティングディフュージョン領域の端部を超えて前記第１の駆動配線に対向しながら延在する導電部材とを備え、前記第１の光電変換部および前記第２の光電変換部の対と、前記第３の光電変換部および前記第４の光電変換部の対とが平面視において線対称に配置され、前記第１の駆動配線および前記第２の駆動配線の対と、前記第３の駆動配線および前記第４の駆動配線の対とが平面視において線対称に配置される。
さらに本発明の他の実施形態における撮像装置は、第１、第２の光電変換部と、導通状態になることにより、第１、第２の光電変換部のそれぞれから電荷を転送する第１、第２の転送トランジスタと、第１、第２の転送トランジスタから転送された電荷を蓄積するフローティングディフュージョン領域と、前記第１、第２の転送トランジスタから転送された電荷に応じた信号を出力する増幅トランジスタと、前記第１、第２の転送トランジスタのゲートにそれぞれ電気的に接続された第１、第２の駆動配線と、前記フローティングディフュージョン領域および前記増幅トランジスタのゲートを電気的に接続するとともに、平面視において前記フローティングディフュージョン領域の端部を超えて前記第１の駆動配線に対向しながら延在する導電部材と、第３、第４の光電変換部と、導通状態になることにより、第３、第４の光電変換部のそれぞれから電荷を前記フローティングディフュージョン領域に転送する第３、第４の転送トランジスタと、前記第３、第４の転送トランジスタのゲートにそれぞれ電気的に接続された第３、第４の駆動配線とをさらに備え、平面視において、前記第３、第４の光電変換部、前記第３、第４の転送トランジスタ、前記第３、第４の駆動配線は、前記フローティングディフュージョン領域を中心として、前記第１、第２の光電変換部、前記第１、第２の転送トランジスタ、前記第１、第２の駆動配線と対称に形成され、前記導電部材は前記第１の駆動配線と前記第３の駆動配線との中間に形成される。